(57)【要約】  本発明は、第１の地理的エリアと第２の地理的エリア間をローミングする移動通信端末に、利用可能なサービスを表示する方法に関する。端末が第２の地理的エリアにおいて認証されると、第２の地理的エリアにおいて物理的に利用可能なサービスを含むリストが決定され、端末に送信される。【選択図】  １
2009521135.tif 000002
【特許請求の範囲】
【請求項１】
第１の地理的エリアと第２の地理的エリア間をローミングする移動通信端末に、利用可能なサービスを自動的に表示する方法において、
前記第２の地理的エリアにおいて前記端末を認証するステップ（１０）と、
前記第２の地理的エリアにおいて物理的に利用可能なサービスを含むリストを決定するステップ（１２）と、
前記リストを前記端末に送信するステップ（１４）とを含むことを特徴とする方法。
【請求項２】
前記第１のエリア及び第２のエリアは、セルラーネットワークによりカバーされていることを特徴とする請求項１に記載の方法。
【請求項３】
前記第１のエリアは第１のセルラーネットワークによりカバーされ、前記第２のエリアは前記第１のセルラーネットワークとは異なる第２のセルラーネットワークによりカバーされていることを特徴とする請求項１に記載の方法。
【請求項４】
前記サービスのリストは、前記第２のエリア内で物理的に利用可能であり、且つ、前記第１のネットワークと前記第２のネットワーク間のローミング取り決めにより、前記端末がアクセス可能であるサービスを含むことを特徴とする請求項１或は請求項３に記載の方法。
【請求項５】
前記第１のネットワークは、ホームＰＬＭＮ（ＨＰＬＭＮ）のユーザのホームネットワークであり、前記第２のネットワークは、システム間及び／又はセル間のハンドオーバー後に、前記端末が登録する訪問先ネットワーク（ＶＰＬＭＮ）であることを特徴とする請求項４に記載の方法。
【請求項６】
前記第１のネットワークは、ＵＭＴＤＳネットワーク（或いはＧＳＭネットワーク）であり、第２のネットワークは、ＧＳＭネットワーク（或いはＵＭＴＳネットワーク）であることを特徴とする請求項５に記載の方法。
【請求項７】
移動端末が第１の地理的エリアと第２の地理的エリア間をローミングする通信システムにおいて、
前記第２の地理的エリアにおいて前記端末を認証する手段と、
前記第２の地理的エリアにおいて物理的に利用可能なサービスを有するリストを決定する手段と、
前記リストを前記端末に送信する手段とを有することを特徴とするシステム。
【請求項８】
前記第１のエリアと前記第２のエリアは、共通のセルラーネットワークによりカバーされていることを特徴とする請求項７に記載のシステム。
【請求項９】
前記第１のエリアは第１のセルラーネットワークによりカバーされ、前記第２のエリアは前記第１のネットワークとは異なる第２のセルラーネットワークによりカバーされていることを特徴とする請求項７に記載のシステム。
【請求項１０】
前記サービスのリストは、前記第２のエリア内で物理的に利用可能であり、且つ、前記第１のネットワークと前記第２のネットワーク間のローミング取り決めにより、前記端末がアクセス可能であるサービスを含むことを特徴とする請求項７或は請求項９に記載のシステム。
【発明の詳細な説明】
【技術分野】
【０００１】
本発明は、移動通信の分野に関し、特に、第１の地理的エリアと第２の地理的エリア間をローミングする移動通信端末に利用可能なサービスを自動的に表示する方法に関する。
【０００２】
本発明は、また、移動端末が第１の地理的エリアと第２の地理的エリア間をローミングする通信システムに関する。
【背景技術】
【０００３】
セルラー通信ネットワークにおいて、地理的エリアは、限定された数の一意的に識別されるセルを含み、それぞれのセル内において、ネットワーク内の端末の位置を決定し、また、端末に対する呼があることを端末に通知するために、ネットワークはページングメッセージを送信する。このメッセージは、ＰＣＨ（「ページングチャネル」）と呼ばれる特定の無線メッセージチャネルを介して送信される。ＧＳＭ−ＧＰＲＳ及びＵＭＴＳ標準は、回線ドメインに対してＬＡ（「ロケーションエリア」）を規定すると共に、数個の隣接セルを含むパケットドメインに対してＲＡ（「ルーティングエリア」）を規定している。
【０００４】
回線交換ドメインにおいて、ロケーションエリアＬＡは、移動通信交換局（ＭＳＣ）スイッチ及び待ち受けモードの加入者に関する情報を含むビジターロケーションレジスタ（ＶＬＲ）データベースを備えるＭＳＣ/ＶＬＲモジュールにより管理される。
【０００５】
パケット交換ドメイン（ＧＰＲＳ及びＵＭＴＳ）において、ルーティングエリアＲＡは、ＭＳＣ／ＶＬＲモジュールと同等のパケットモードサービス用サービングＧＰＲＳサポートノード（ＳＧＳＮ）により管理される。
【０００６】
ネットワーク上に登録された後、端末は、ロケーションエリアが変更されるたびに、現在エリアのコアネットワーク（基幹回線網）における更新手続きを実行する。各セルに関連づけられたビーコンチャネル（ＢＣＣＨ，ブロードキャスト制御チャネル）上での情報ブロードキャスト（同報）により、端末は、現在のセルが位置しているエリアを知る。
【０００７】
通信ネットワークは、そのセルのうちの１つ或いはいくつかをカバーしている地理的エリアにおける利用可能なサービスを、このエリア内での無線カバレッジ品質とは関係なく認識している。移動端末がこれらのサービスを利用できる可能性は、エリア内での受信品質とは関係なく、ネットワークによって静的に定められ認識される。
【発明の開示】
【発明が解決しようとする課題】
【０００８】
３ＧＰＰ標準の技術仕様では、ルーティングエリア（ＲＡ）内のセルに在圏する移動端末が、サービスの能動的サーチを行うことなく、このエリア内での利用可能なサービスを容易に且つ迅速に知ることを可能とするには不十分である。
【０００９】
これらの仕様によれば、ユーザは、システム間移動の後、或いは、端末の再初期化後に、ユーザが位置しているエリア内のサービスを検出するために、一連のテストを行わなければならない。
【００１０】
本発明の目的は、移動通信端末のユーザが、セル間或いはシステム間（ＨＰＬＭＮ或いはＶＰＬＭＮ）移動後に、端末が登録されたセルラー通信ネットワーク内のローミングエリアにおいて利用可能なサービスを容易に且つ迅速に知ることができるようにすることである。
【課題を解決するための手段】
【００１１】
本発明は、移動端末が第１の地理的エリアと第２の地理的エリア間を移動する場合であって、これら２つのエリアが同一のネットワークにカバーされているが利用可能なサービスが異なる可能性のある場合、或いは、端末が第１のネットワークによりカバーされている第１の地理的エリアと第２のネットワークによりカバーされている第２の地理的エリア間を移動し、第２の地理的エリア内に位置するセルに在圏している場合に、端末のネットワークへの登録時或いは登録後に、セルラーネットワークが移動端末に利用可能なサービスを通知することができる方法を提案する。
【００１２】
本発明による方法は、以下のステップ、すなわち、
第２の地理的エリアにおいて端末を認証するステップと、
第２の地理的エリアにおいて物理的に利用可能であるサービスを含むリストを決定するステップと、
このリストを端末に送信するステップを備えている。
【００１３】
本発明による方法は、端末が第１のセルラーネットワークによりカバーされている第１のエリアと、第１のネットワークとは異なる第２のセルラーネットワークによりカバーされている第２のエリア間を移動する場合に使用されることが好ましい。
【００１４】
この場合、決定されたサービスのリストは、第２のエリア内で物理的に利用可能であり、且つ、第１のネットワークと第２のネットワーク間のローミング取り決めにより端末がアクセス可能であるサービスを含む。
【００１５】
例えば、ＨＰＬＭＮネットワークはＵＭＴＳネットワークであり、ＶＰＬＭＮネットワークはＧＳＭネットワークである。或いは、ＨＰＬＭＮネットワークはＧＳＭネットワークであり、ＶＰＬＭＮネットワークはＵＭＴＳネットワークである。
【００１６】
本発明による方法は、
第２の地理的エリアにおいて端末を認証する手段と、
第２の地理的エリアにおいて物理的に利用可能であるサービスを含むリストを決定する手段と、
このリストを端末に送信する手段とを有する通信システムに適用できる。
【００１７】
第１の態様において、第１のエリアと第２のエリアは同一のセルラーネットワークによりカバーされている。
【００１８】
第２の態様において、第１のエリアは第１のセルラーネットワークによりカバーされ、第２のエリアは第１のネットワークと異なる第２のセルラーネットワークによりカバーされる。
【００１９】
第２の態様において、サービスのリストは、第２のエリア内で物理的に利用可能であり、且つ、第１のネットワークと第２のネットワーク間のローミング取り決めにより端末がアクセス可能であるサービスを含む。
【発明を実施するための最良の形態】
【００２０】
本明細書の以下の部分において、「サービス」という語は、幅広い機能を表す。例えば、利用者割当サービス、テレサービスへのアクセス（テレサービスアクセス技術）、音声サービス、ビデオサービス、ＣＳ回線交換サービスとＩＭＳ（情報メッセージサービス）の組み合わせ、ＭＭＳ（マルチメディアメッセージサービス）、ＨＳＤＰＡ（高速ＰＳ接続サービス）、ＷＬＡＮ（無線ローカルエリアネットワーク）接続サービス等である。
【００２１】
本方法を、最初は第１の３Ｇネットワークの第１のエリア内に位置するセルに在圏していた移動端末を、第２の３Ｇネットワークによりカバーされているセルを含む第２のエリア内で再び電源オンとしたという具体例において説明する。
【００２２】
添付図に示されたステップ２において、端末は、第２のエリア内で再びスイッチオンになったものとする。
【００２３】
ステップ４において、端末は第２のエリア内のセルをサーチする。
【００２４】
ステップ６において、端末は検出したセルに在圏している。ネットワーク内のセルに在圏すると、端末は、位置しているネットワークのタイプを決定し（ステップ８）、発見したネットワークのタイプにより、登録手順または位置更新手順(ステップ１０)のいずれかを実行する。
【００２５】
端末が認証され、検出されたネットワーク上での自身の登録が許可されると、ネットワークは、端末が物理的に位置しているカバレッジエリア内で物理的に利用可能なサービスを含む第１のリスト、及び、第１のネットワーク、換言するとユーザが加入しているネットワーク（ＨＰＬＭＮ）内で端末ユーザが加入したサービスを含む第２のリストを決定する（ステップ１２）。
【００２６】
本発明の重要な一特徴によれば、訪問先ネットワーク（ＶＰＬＭＮ）、換言すると端末により検出された第２のネットワークは、第１及び第２のリストから第３のリストを決定する。この第３のリストには、第２のエリアにおいて物理的に利用可能であるサービスであって、且つ、これらのサービスに対して第１のネットワークと第２のネットワーク間のローミング取り決めが存在するサービスを含む。このローミング取り決めは、第１のネットワークの加入者が、サービスが物理的に利用可能である第２のネットワークによりカバーされるエリアに位置している時に、第２のネットワークが、第１のネットワークの加入者にサービスを提供することに同意するものである。
【００２７】
ステップ１４において、第２のネットワークは、第３のリストを端末に送信する。
【００２８】
端末が新たな登録或いは新たな位置更新手順を行うと、本方法は、ステップ８（矢印１６）から開始するように再初期化される。
【００２９】
同様に、端末がサービスを消失してしまった場合、本方法はステップ４（矢印１８）から開始するように再初期化される。
【００３０】
本発明による方法では、ロケーションエリア及びルーティングエリアにかかわらず、訪問先ネットワーク（ＶＰＬＭＮ）によりカバーされた地理的エリア内で利用可能であり、且つ、ＶＰＬＭＮネットワークと加入者のＨＰＬＭＮネットワーク間でのローミング取り決めにより端末がアクセス可能なサービスのリストを、端末は自動的に表示することができる。さらに、本発明は、ＧＳＭネットワークやＵＭＴＳネットワーク以外の他のネットワークにも適用できる。
【図面の簡単な説明】
【００３１】
【図１】図１は、本発明による方法における主なステップを示す。
【図１】
2009521135.tif 000003
【国際調査報告】
2009521135.tif 000004
2009521135.tif 000005
2009521135.tif 000006